(57)【要約】【課題】本発明は、枠部材にＴ溝を連続的に設けたフレームを備えることにより、吊下げ部材の吊下げ箇所や台車走行用レールの配置の自由度を高め、かつ、根太フレームの架設箇所を自在とすることにより必要に応じ開口を形成させることが可能となる足場用枠部材を提供するものである。【解決手段】本発明は、足場踏板を敷設することにより床面を構築する吊足場用枠部材において、枠部材は長辺部を形成する先端フレーム及びパイプフレームと、短辺部を形成する２本のサイドフレームと、当該先端フレームと当該パイプフレーム間に架設される根太フレームを備え、当該先端フレームに長手方向に沿って所定の深さのＴ溝を連続的に設けることを特徴とするものである。【選択図】  図１
2020007818.tif 000002
【特許請求の範囲】
【請求項１】
足場踏板を敷設することにより床面を構築する吊足場用枠部材において、枠部材は長辺部を形成する先端フレーム及びパイプフレームと、短辺部を形成する２本のサイドフレームと、当該先端フレームと当該パイプフレーム間に架設される根太フレームを備え、当該先端フレームに長手方向に沿って所定の深さのＴ溝を連続的に設けることを特徴とする吊足場用枠部材。
【請求項２】
足場踏板を敷設することにより床面を構築する吊足場用枠部材において、枠部材は長辺部を形成する２本の先端フレームと、短辺部を形成する２本のサイドフレームと、各先端フレーム間に架設される根太フレームを備え、当該先端フレームに長手方向に沿って所定の深さのＴ溝を連続的に設けることを特徴とする吊足場用枠部材。
【請求項３】
前記根太フレームは架設箇所が調節自在となることを特徴とする請求項１乃至請求項２の何れかに記載された吊足場用枠部材。
【請求項４】
各種フレームが独立した部材として構成されることを特徴とする請求項１乃至請求項３の何れかに記載された吊足場用枠部材。
【発明の詳細な説明】
【技術分野】
【０００１】
本発明は、枠部材を連結し所定範囲の足場とし、各枠部材に足場板を敷設することにより床面を構築する吊足場用枠部材に関するものである。
【背景技術】
【０００２】
従来より、吊足場の床面を構築するための枠部材は各種提供されており、例えば、出願人は、実用性に優れた吊足形成部材及び補助具を出願した。
【先行技術文献】
【特許文献】
【０００３】
【特許文献１】特開２００８−２５０６０公報
【０００４】
上記技術は、従来の問題点を解決したものであるが、例えば、吊下部材の吊下げ箇所を決定するに際しては、あらかじめ複数設けられた枠部材長辺部の螺合部材の位置を適宜選択することになる。
【０００５】
また、構築された足場に台車走行用のレールなどを配するに際しても、あらかじめ設けられた枠部材長辺部の固定部材を介することになる。
【０００６】
また、枠部材の両長辺部間に架設される桟部は長辺部に対し一体的に設けられている。
【発明の概要】
【発明が解決しようとする課題】
【０００７】
本発明は、上記問題点に鑑みなされたものであって、枠部材にＴ溝を連続的に設けたフレームを備えることにより、吊下げ部材の吊下げ箇所や台車走行用レールの配置の自由度を高め、かつ、根太フレームの架設箇所を自在とすることにより必要に応じ開口を形成させることが可能となる足場用枠部材を提供するものである。
【課題を解決するための手段】
【０００８】
本発明は、請求項１に記載のように、足場踏板を敷設することにより床面を構築する吊足場用枠部材において、枠部材は長辺部を形成する先端フレーム及びパイプフレームと、短辺部を形成する２本のサイドフレームと、当該先端フレームと当該パイプフレーム間に架設される根太フレームを備え、当該先端フレームに長手方向に沿って所定の深さのＴ溝を連続的に設けることを特徴とするものである。
【０００９】
本発明は、請求項２に記載のように、足場踏板を敷設することにより床面を構築する吊足場用枠部材において、枠部材は長辺部を形成する２本の先端フレームと、短辺部を形成する２本のサイドフレームと、各先端フレーム間に架設される根太フレームを備え、当該先端フレームに長手方向に沿って所定の深さのＴ溝を連続的に設けることを特徴とするものである。
【００１０】
本発明は、請求項３に記載のように、請求項１乃至請求項２の何れかに記載される吊足場用枠部材において、前記根太フレームは架設箇所が調節自在となることを特徴とするものである。
【００１１】
本発明は、請求項４に記載のように、請求項１乃至請求項２の何れかに記載された吊足場用枠部材において、各種フレームが独立した部材として構成されることを特徴とするものである。
【発明の効果】
【００１２】
本発明は請求項１乃至２に記載のような構成を採用したことから、吊下げ箇所や台車走行用レールの配置箇所など、いわゆる各種役物が現場の状況に応じ任意に配置することができる吊足場用枠部材を提供することが可能となるものである。
【００１３】
本発明は請求項３に記載のような構成を採用したから、敷設する足場踏板を適宜選択することにより足場床面に開口部を設けることができる吊足場用枠部材を提供することが可能となるものである。
【００１４】
本発明は請求項４に記載のような構成を採用したから、各種フレームが分離可能な独立部品として構成されるため、一部箇所の破損などに際しても該当フレームの交換や補修により対処可能となり、経済的に資する吊足場用枠部材を提供することが可能となるものである。
【図面の簡単な説明】
【００１５】
【図１】本発明の吊足場用枠部材の一実施例を示す斜視図である。
【図２】本発明の吊足場用枠部材の一実施例を示す斜視図である。
【図３】本発明の吊足場用枠部材の一実施例の分解状態を示す斜視図である。
【図４】本発明の吊足場用枠部材を用いた吊足場の一実施例を示す斜視図である。
【図５】本発明の吊足場用枠部材を用いた吊足場の一実施例を示す斜視図である。
【図６】本発明の吊足場用枠部材における先端フレームの先端面を示す図である。
【発明を実施するための形態】
【００１６】
以下、本発明に係る吊足場用枠部材に関して図面に基づき詳細に説明する。
【００１７】
本発明に係る吊足場用枠部材は、図示のとおり各種フレームを結合し全体形状矩形状を呈し、その基本的構成は、一方の長辺部の先端フレーム１と、他方の長辺部のパイプフレーム２と、両長辺部の両端に架設される２本のサイドフレーム３と、両長辺部間に架設される複数本の根太フレーム４とからなるものである。
【００１８】
なお、スタート時やカーブ等で縁を切った時において使用される枠部材は、４点吊りをする必要などから、両長辺部に先端フレームを採用するため、図２に示すとおり、その基本的構成（請求項２）は、両長辺部を形成する２本の先端フレーム１と、両長辺部の両端に架設される２本のサイドフレーム３と、両長辺部間に架設される複数本の根太フレーム４とからなるものである。
【００１９】
図１〜２の実施例においては、４ｍの足場踏板を３枚敷設するユニット（４ｍユニット）であるが、そのほか３ｍの足場踏板を３枚敷設するユニット（３ｍユニット）など、枠部材のサイズは適宜設定されるものである。
【００２０】
上述のとおり、本発明に係る吊足場用枠部材は、枠部材を連結し作業現場に応じた所定範囲の足場とし、各枠部材に足場踏板Ｘを敷設することにより床面を構築するものであり、図４に示された態様が本発明を用いた吊足場全体の一実施例となる。
【００２１】
かかる実施例においては、４ｍユニットと３ｍユニットと４ｍユニットの各枠部材を使用し、全体の足場幅（長方形状枠部材においては長手方向）１０ｍに構築した吊足場が構築されている。
【００２２】
先端フレーム１は、実施例においては、長手方向に一定の断面形状を有する長尺のアルミニウム押出し型材を構成材とし、例えば、断面視縦長矩形状孔が設けられる略角筒体が採用される。
【００２３】
先端フレーム１の上面には、長手方向に沿って開口突条部から底部に向かってナット挿通可能な幅広部を有するＴ溝１Ａが連続的に設けられている。
【００２４】
吊足場枠部材は上述のとおり、各枠部材を連設させ必要に応じた足場が構築されるものであるため、Ｔ溝１Ａの利用態様は、単一のフレーム上にとどまらず、複数のフレーム間においても実現可能となる。
【００２５】
したがって、本発明における吊足場枠部材は、構成フレームにＴ溝を連続的に設けたことにより、Ｔボトルを用いることをもって、単一のフレーム上においては吊足場における吊下げ箇所の自由度などが飛躍的に高まり、また、複数のフレーム間においては各枠部材に亘る台車走行用レールや端部養生のための連結パイプなど各種の役物も現場の状況に応じ自由に配置することが可能となる。
すなわち、図４に示すとおり、Ｔ溝１Ａを介して、単一の先端フレームの長手方向に沿って複数の吊下げチェーンＳが任意の箇所に取り付けられており、複数の先端フレーム（幅方向）には台車走行用レールＲが任意の箇所に取り付けられている。
【００２６】
先端フレーム１には、各枠部材を連設するために他方の長辺部を形成するパイプフレーム２を固定する単管クランプ１Ｃが突設されている。
【００２７】
また、先端フレーム側面には、各種部材の結合に対応するため、一定幅を有する溝面１Ｂが長手方向に沿って連続的に形成される。
【００２８】
パイプフレーム２は、実施例においては、断面視円形孔が設けられる円筒状を呈している。
【００２９】
サイドフレーム３は、先端フレーム１とパイプフレーム２（請求項２においては、両先端フレーム１）の両端に架設されており、枠部材の短辺部を形成する。
【００３０】
サイドフレーム３と両長辺部の結合は、ボルト・ナットを介するなど適宜公知の結合方法が採用されるが、先端フレーム１との結合部には、他の枠部材を連設するための円筒状ジョイントピースＪが挿入可能となる円筒部材３Ａを突設することが想定される。
ジョイントピースＪは、円筒体形状を呈しており、左右何れからも挿入可能となるように構成される。
【００３１】
根太フレーム４は、先端フレーム１とパイプフレーム２間（請求項２においては、先端フレーム１間）においてサイドフレーム３と並列的に架設されている。
【００３２】
根太フレーム４と両長辺部の結合は、ボルト・ナットを介するなど適宜公知の結合方法が採用されるが、パイプフレーム２との結合部には、円筒状パイプフレームに摺動自在とし架設箇所を容易に選択可能とする円筒部材４Ａが配されることが想定される。
【００３３】
また、請求項２に記載される枠部材における先端フレームとの結合部においては、先端フレーム側面に形成される溝面１Ｂ幅に対して摺動自在とすることにより架設箇所を容易に選択可能とする平板状部材４Ｂが配されることが想定される。
【００３４】
本発明に係る吊足場用枠部材においては、根太フレームを分離可能な構成部材とすることにより架設箇所の自由度が高まることとなる。
【００３５】
このように、自在根太フレームを適宜箇所に架設し、併せ枠部材に敷設する各種長さの足場踏板Ｘを組み合わせることにより、図５に示すような足場床面の任意の位置に開口部Ｈを設けることが可能となる。図示の実施例においては、４ｍユニットの枠部材に対し、４ｍの足場踏板１枚と３ｍの足場踏板２枚を敷設することにより、長辺１ｍの開口部を設けることが可能となる。
【００３６】
枠部材の組合せにより、構築足場全体の任意箇所にも開口部を設けることが可能となり、図４に示すように構築足場内の障害物Ｙにも対応可能となる。
【００３７】
本発明に係る枠部材は、先端フレーム１、パイプフレーム２、サイドフレーム３、根太フレーム４がそれぞれ独立した部材として構成され、これらのフレームをジョイントピースＪなどの結合部材を用いて結合している。したがって、一部箇所の破損などに際しても該当フレームの交換や補修により対処可能となり、経済的に資する吊足場用枠部材を提供することが可能となるものである。
【符号の説明】
【００３８】
１    先端フレーム
１Ａ  Ｔ溝
２    パイプフレーム
３    サイドフレーム
４    根太フレーム
Ｘ    足場踏板
Ｈ    開口部
【図１】
2020007818.tif 000003
【図２】
2020007818.tif 000004
【図３】
2020007818.tif 000005
【図４】
2020007818.tif 000006
【図５】
2020007818.tif 000007
【図６】
2020007818.tif 000008